(57)【要約】【課題】  複数の監視端末が共通の監視用ソフトウエアを用いる監視システムにおいて、監視用ソフトウエアに設定された登録情報を簡単かつ正確に更新する。【解決手段】  電気機器の動作情報を取得する複数の監視装置１にインターネット４を介して複数の監視端末２，３を接続する。監視端末２，３は共通の監視用ソフトウエアに設定されたアドレスや表示位置等の登録情報を利用して監視装置１にアクセスし、遠隔地で電気機器の動作状態を監視する。監視端末をマスタ監視端末２とスレーブ監視端末３とから構成し、マスタ監視端末２に登録情報を変更可能に保持する手段と、変更後の登録情報をスレーブ監視端末３に送信する手段とを設ける。  【選択図】図１
2007336205.tif 000002
【特許請求の範囲】
【請求項１】
電気機器の動作情報を取得する複数の監視装置にネットワークを介して複数の監視端末を接続し、各監視端末が共通の監視用ソフトウエアに設定された登録情報を利用して監視装置にアクセスするシステムにおいて、
前記監視端末をマスタ監視端末とスレーブ監視端末とから構成し、マスタ監視端末に監視用ソフトウエアの登録情報を変更可能に保持する手段と、変更後の登録情報をスレーブ監視端末に送信する手段とを設けたことを特徴とする電気機器の監視システム。
【発明の詳細な説明】
【技術分野】
【０００１】
本発明は、ネットワークを利用して電気機器の動作状態を監視するシステムに関するものである。
【背景技術】
【０００２】
従来、電気機器の動作情報を取得する監視装置にインターネットやＬＡＮ等のネットワークを介して複数の監視端末を接続し、各監視端末が遠隔地で電気機器の動作状態を監視するシステムが知られている。例えば、特許文献１には、炭酸ガス濃度、ペーハー（ｐＨ）、温度、湿度、電力、騒音等の環境情報をセンサで検出し、センサの出力を監視装置によって監視する環境監視システムが記載されている。また、監視端末の画面にすべての監視装置をアイコンで表示し、監視装置に変化があった場合に、アイコンの色を変え、ブザーを鳴らすなどして、農園、サーバー室、データセンター等の管理者に注意を喚起する監視システムも知られている。
【特許文献１】特開２００５−９２４０５号公報
【０００３】
この種の監視システムでは、従来、図５に示すような監視端末５１が使用されていた。この監視端末５１は、監視装置（図示略）から受信した監視データを処理する監視処理実行部５２と、監視処理実行部５２が処理したデータを画面上に表示する画面表示部５３と、監視装置のアドレスや画面上の表示位置などの登録情報を設定して保持する監視設定保持部５４とを備えている。そして、複数の監視端末５１にそれぞれ共通の監視用ソフトウエアがインストールされ、監視処理実行部５２が監視設定保持部５４に設定された登録情報を利用して監視装置にアクセスするようになっている。
【０００４】
ここで、監視装置のアドレスや表示位置などの登録情報は、従来、監視端末５１ごとに設定されていた。このため、新規の監視装置を登録する場合や、不要となった監視装置を登録から外す場合には、各監視端末５１でそれぞれ監視設定保持部５４の設定内容を変更して、監視用ソフトウエアの登録情報を統一する必要があった。この設定変更に際しては、従来、図６に示すように、各監視端末５１の画面表示部５３に設定変更画面を表示させ（Ｓ６１）、キーボード等を操作して設定変更の内容を入力し（Ｓ６２）、変更内容を監視設定保持部５４に格納したのち（Ｓ６３）、監視処理実行部５２に通知していた（Ｓ６４）。
【発明の開示】
【発明が解決しようとする課題】
【０００５】
しかし、従来の監視システムによると、登録情報の変更に際し、すべての監視端末５１で設定を変更する必要があるため、監視端末５１の台数が多くなると、変更作業に時間がかかったり、変更作業をし忘れたりする端末がでたりするなどの問題点があった。また、それぞれの監視端末５１が独自に登録情報を変更できるため、一部の監視端末５１に誤ったアドレスが登録されていたり、必要なアドレスが登録されていなかったりする可能性があり、すべての監視端末５１の登録情報を同じ内容で正確に一致させることが困難であった。
【０００６】
本発明の目的は、上記課題を解決し、複数の監視端末が共通の監視用ソフトウエアを用いるシステムにおいて、監視用ソフトウエアに設定された登録情報を簡単かつ正確に更新できる監視システムを提供することにある。
【課題を解決するための手段】
【０００７】
上記課題を解決するために、本発明の監視システムは、電気機器の動作情報を取得する複数の監視装置にネットワークを介して複数の監視端末を接続し、各監視端末が共通の監視用ソフトウエアに設定された登録情報を利用して監視装置にアクセスするシステムにおいて、監視端末をマスタ監視端末とスレーブ監視端末とから構成し、マスタ監視端末に監視用ソフトウエアの登録情報を変更可能に保持する手段と、変更後の登録情報をスレーブ監視端末に送信する手段とを設けたことを特徴とする。
【０００８】
ここで、監視装置としては、例えば、農園の環境を監視する装置、サーバー室やデーターセンターに設置されたＬＡＮラック内の環境又は電気錠を監視する装置、スーパーやコンビニの設備機器を監視する装置等を挙げることができる。監視装置の監視対象である電気機器としては、温度センサ、湿度センサ、ＣＯ２センサ、ｐＨセンサ、水位計、騒音センサ、電力・電圧・電流センサ等を例示できる。監視端末としては、ネットワークを介して監視装置と通信可能な機器、例えば、パーソナルコンピュータ、携帯電話、ＰＤＡ等を使用できる。
【発明の効果】
【０００９】
本発明の監視システムにおいて、監視端末に新規の監視装置を登録する場合や、不要となった監視装置を登録から外す場合は、これらの登録情報の変更作業をマスタ監視端末で行い、変更後の登録情報をマスタ監視端末からスレーブ監視端末に送信する。このため、スレーブ監視端末では、面倒な入力作業を行う必要がなくなり、また、変更作業を忘れるおそれもなくなり、全監視端末の登録情報を短時間かつ簡単に更新することができる。また、設定変更作業をマスタ監視端末で一元的に行うので、全監視端末の登録情報を同じ内容で正確に一致させることも容易である。
【発明を実施するための最良の形態】
【００１０】
以下、本発明の一実施形態を図面に基づいて説明する。図１に示すように、この実施形態の監視システムは、各種電気機器（図示略）の周辺に設置された複数台の監視装置１と、監視装置１から離れた遠隔地に設置又は携帯される複数台の監視端末２，３とを備えている。各監視装置１は、電気機器に設けられた各種センサに接続され、センサから取得した動作情報や環境情報に基づいて電気機器の動作状態（稼働状況）を監視する。各監視端末２，３は、インターネット４又はＬＡＮ等のネットワークを介して監視装置１に接続され、監視装置１から受信したデータに基づいて電気機器の動作状態を監視する。
【００１１】
監視端末２，３は一台のマスタ監視端末２と複数台のスレーブ監視端末３とから構成され、それぞれに共通の監視用ソフトウエアがインストールされている。マスタ監視端末２は、図２に示すように、監視装置１から受信した監視データを処理する監視処理実行部５と、監視処理実行部５が処理したデータを画面上に表示する画面表示部６と、監視装置１のアドレスや画面上の表示位置などの登録情報を変更可能に保持（記憶）する監視設定保持部７と、監視設定保持部７の登録情報をスレーブ監視端末３に送信しかつスレーブ監視端末３から応答電文を受信する監視設定送受信部８とを備えている。
【００１２】
スレーブ監視端末３は、従来と同様（図５参照）、監視処理実行部５２と画面表示部５３と監視設定保持部５４とを備えているが、監視設定保持部５４には監視装置１のアドレスや表示位置などの登録情報が変更不能に保持されている。そして、監視用ソフトウエアに設定されている登録情報を変更するときには、マスタ監視端末２がその登録情報の設定内容を変更し、変更後の登録情報を監視設定保持部７に保存し、監視設定送受信部８からスレーブ監視端末３に送信し、スレーブ監視端末３が変更後の登録情報を受信して、監視設定保持部５４に保存するようになっている。
【００１３】
図３はマスタ監視端末２による登録情報の変更処理を示す。マスタ監視端末２は、まず、登録情報の設定内容に変更があるか否かを確認する（Ｓ２１）。登録情報に変更があった場合は、監視設定保持部７の登録情報ファイルを更新し（Ｓ２２）、更新済の登録情報ファイルを監視設定送受信部８よりスレーブ監視端末３に送信する（Ｓ２３）。そして、スレーブ監視端末３の応答電文に基づき、すべてのスレーブ監視端末３に更新済ファイルを送信したことを確認し（Ｓ２４）、登録情報の変更処理を完了する。
【００１４】
図４はスレーブ監視端末３による登録情報の変更処理を示す。スレーブ監視端末３は、常時、受信待機モードを設定し（Ｓ３１）、マスタ監視端末２からの受信を確認する（Ｓ３２）。そして、マスタ監視端末３が更新済の登録情報ファイルを送信すると、スレーブ監視端末３がこのファイルを受信し（Ｓ３３）、自機の監視設定保持部５４に保存する（Ｓ３４）。その後、スレーブ監視端末３は、更新済ファイルに登録された画面情報やアドレス情報を利用して所要の監視装置１にアクセスし、その監視装置１が管轄する電気機器の動作状態を監視する。
【００１５】
従って、この実施形態の監視システムによれば、新規の監視装置１を登録する場合や、不要となった監視装置１を登録から外す場合に、登録情報の変更作業をマスタ監視端末２で行い、変更後の登録情報をマスタ監視端末２から全スレーブ監視端末３に一斉に送信することができる。従って、数あるスレーブ監視端末３での入力作業を省いて、監視用ソフトウエアの更新作業を簡単かつ短時間に完了できる。また、設定変更作業をマスタ監視端末２が一元的に行うので、全端末の登録情報を同じ内容で正確に一致させることが可能で、特に、監視端末２、３の台数が多い大規模なシステムにおいて、設定変更に伴う混乱を未然に回避できるという利点がある。
【図面の簡単な説明】
【００１６】
【図１】本発明の一実施形態を示す監視システムの模式図である。
【図２】マスタ監視端末の構成を示すブロック図である。
【図３】マスタ監視端末の動作を示すフローチャートである。
【図４】スレーブ監視端末の動作を示すフローチャートである。
【図５】従来の監視端末の構成を示すブロック図である。
【図６】従来の監視端末の動作を示すフローチャートである。
【符号の説明】
【００１７】
１：  監視装置
２：  マスタ監視端末
３：  スレーブ監視端末
４：  インターネット
５：  監視処理実行部
６：  画面表示部
７：  監視設定保持部
８：  監視設定送受信部
【図１】
2007336205.tif 000003
【図２】
2007336205.tif 000004
【図３】
2007336205.tif 000005
【図４】
2007336205.tif 000006
【図５】
2007336205.tif 000007
【図６】
2007336205.tif 000008